(57)【要約】      （修正有）【課題】患者が自分で抜き取り難い抑制手袋を提供する。【解決手段】患者の手を入れる袋体に、手袋が外れるのを防く抜け止め構造と、患者による抜け止め解除を防く自己解除防止構造を設けた抑制手袋において、抜け止め構造は、袋体の手首部を絞る構造にし、手首部を絞った状態を保持する留め具を取り付けた。自己解除防止構造は、抜け止め構造を覆う覆い部３を設け、覆い部と手首部に、覆い部が抜け止め構造を覆った状態を保持する対の留め具３１、３２を取り付け、覆い部の留め具取付部分と手首部の留め具取付部分を同様に回転移動するフラップ状にした。【選択図】図９
0003172724.tif 000002
【実用新案登録請求の範囲】
【請求項１】
患者の手を入れる袋体に、手袋が外れるのを防く抜け止め構造と、患者による抜け止め解除を防く自己解除防止構造を設けた抑制手袋において、
抜け止め構造は、袋体の手首部を絞る構造にし、手首部を絞った状態を保持する留め具を取り付けており、
自己解除防止構造は、抜け止め構造の少なくとも留め具取付部分を覆う覆い部を設け、覆い部と手首部に、覆い部が抜け止め構造の少なくとも留め具取付部分を覆った状態を保持する対の留め具を取り付け、覆い部の留め具取付部分と手首部の留め具取付部分を同様に回転移動するフラップ状にしたことを特徴とする抑制手袋。
【請求項２】
自己解除防止構造の覆い部は、抜け止め構造の全体を覆う構成にしたことを特徴とする請求項１に記載の抑制手袋。
【請求項３】
自己解除防止構造の留め具は、面ファスナにしたことを特徴とする請求項１又は２に記載の抑制手袋。
【考案の詳細な説明】
【技術分野】
【０００１】
本考案は、看護や介護を受ける患者の手の動きを抑制してカテーテルなどの自己抜去や自傷行為を防止する手袋に関する。
【背景技術】
【０００２】
この種の抑制手袋は、患者の手を入れる袋体に、手袋が外れるのを防く抜け止め構造を設けている。抜け止め構造は、袋体の手首部を絞るベルトを設けている。ベルトが手首部を絞った状態を保持する留め具を取り付けている。
【０００３】
抑制手袋は、更に、患者が手袋を抜き取るのを防くため、患者による抜け止め解除を防く自己解除防止構造を設けている。自己解除防止構造は、抜け止め構造の留め具取付部分を覆うフラップ状の覆い部を設けている。フラップ状覆い部が抜け止め構造の留め具取付部分を覆った状態を保持する留め具を取り付けている。
留め具は、面ファスナやプッシュホックが代表例である。
【先行技術文献】
【特許文献】
【０００４】
【特許文献１】特開２０１０−１５０７２６号公報
【考案の概要】
【考案が解決しようとする課題】
【０００５】
［課  題］
抑制手袋は、患者が自分で抜き取ろうとする。患者が自己解除防止構造を咬んだり叩き付けたりすることがある。自己解除防止構造が機能しないことがある。患者が自分で抜き取り難いことが望まれる。
【０００６】
［研  究］
第１点
患者は、抜け止め構造、特に留め具取付部分が眼につくと、抜け止め構造の留め具を外して抑制手袋を抜き取ろうとする動機が生ずる。
【０００７】
第２点
自己解除防止構造において、留め具は、雄型と雌型の対である。雄型留め具と雌型留め具は、それぞれ、袋本体の手首部と覆い部に固定している。
患者が自分でフラップ状覆い部を開くときには、次のような方法が予想される。患者は、口の前に覆い部を持って来て、歯で覆い部の端を咬み、手を歯と反対側に振って、手首に嵌合した手首部を引っ張る。すると、手首部側の留め具と覆い部側の留め具が外れる。覆い部が開く。抜け止め構造の留め具取付部分が露出する。抜け止め構造は、留め具取付部分が露出すると、患者が歯と手を使って同様に抜け止めを解除することがある。
【０００８】
［着  想］
第１点
患者は、抜け止め構造、特に留め具取付部分が眼につかなければ、抜け止め構造の留め具を外そうとする動機が生じ難い。抜け止め構造は、全体又は留め具取付部分を覆い隠す。抜け止め構造の少なくとも留め具取付部分は、覆い隠す。患者の眼に触れさせない。
【０００９】
第２点
自己解除防止構造において、雄型と雌型の留め具は、引き離し力が作用したときに、一緒に移動すると、外れない。覆い部の留め具取付部分と手首部の留め具取付部分は、同様に、ポケットの蓋のように回転移動するフラップ状にする。
患者が歯で覆い部の留め具取付部分の端を咬み、手首に嵌合した手首部を引っ張ると、手首部の留め具取付部分と覆い部の留め具取付部分は、一緒に同様に回転移動する。両側の留め具を引き離す方向に力が作用し難い。
看護者や介護者が覆い部を手首部から剥がすときは、片手で覆い部の留め具取付部分を摘み、他の手で手首部の留め具取付部分を摘み、両手で両側の留め具を引き離す。
【課題を解決するための手段】
【００１０】
１．患者の手を入れる袋体に、手袋が外れるのを防く抜け止め構造と、患者による抜け止め解除を防く自己解除防止構造を設けた抑制手袋において、
抜け止め構造は、袋体の手首部を絞る構造にし、手首部を絞った状態を保持する留め具を取り付けており、
自己解除防止構造は、抜け止め構造の少なくとも留め具取付部分を覆う覆い部を設け、覆い部と手首部に、覆い部が抜け止め構造の少なくとも留め具取付部分を覆った状態を保持する対の留め具を取り付け、覆い部の留め具取付部分と手首部の留め具取付部分を同様に回転移動するフラップ状にしたことを特徴とする。
２．上記の抑制手袋において、
自己解除防止構造の覆い部は、抜け止め構造の全体を覆う構成にしたことを特徴とする。
３．上記の抑制手袋において、
自己解除防止構造の留め具は、面ファスナにしたことを特徴とする。
【考案の効果】
【００１１】
患者が自分で抜き取り難い。
【図面の簡単な説明】
【００１２】
【図１】本考案の実施形態における抑制手袋の正面図（手の甲側の図）。
【図２】同抑制手袋の背面図（掌側の図）。
【図３】同抑制手袋の右側面図。
【図４】図１のＡ−Ａ線断面の端面図で、覆い部の留め具を分離した状態を示す図。
【図５】図１のＢ−Ｂ線断面の端面図。
【図６】図１のC−C線断面の端面図で、覆い部の留め具を分離した状態を示す図。
【図７】同抑制手袋の覆い部を捲り上げた状態を示す正面図。
【図８】同抑制手袋の覆い部を捲り上げた状態を示す背面図。
【図９】同抑制手袋の覆い部の手の甲側の留め具取付部分を回転移動した状態を示す右側面図。
【図１０】同抑制手袋の覆い部の掌側の留め具取付部分を回転移動した状態を示す右側面図。
【考案を実施するための形態】
【００１３】
実施形態の抑制手袋は、患者の手を入れる袋体を手の甲側の布材と掌側の布材を縫い合わせて構成している。布製の袋体は、図１〜図６に示すように、閉鎖端側を本体部１にし、開口側を手首部２と覆い部３にしている。覆い部３は、手首部２の外回りを覆っている。袋体は、手の甲側の布材と掌側の布材との間に開口側から閉鎖端側に向かって手を入れる。本体部１は、手が収まる。手首部２は、手首が貫通する。
【００１４】
手の甲側の布材は、外布１１と内布１２の二重にしている。ただし、本体部１の指先部では、手の甲側の布材は網１３の一重にしている。掌側の布材は、外布１６と内布１７の二重にしている。本体部１では、掌側の外布１６と内布１７の間に平面保持板１８を挿入している。
【００１５】
本体部１は、手の甲側を外布１１と内布１２及び網１３で、掌側を外布１６と内布１７及び平面保持板１８で構成している。この本体部１は、閉鎖端を円弧状にし、左右の側端を平行線状にし、閉鎖端と左右の側端を帯布で縁取りしている。
【００１６】
手首部２は、手の甲側の内布１２と掌側の内布１７で構成している。この手首部２は、本体部１側部分をベルト取付部分にしている。手首部２のベルト取付部分は、手の甲側の内布１２と掌側の内布１７を縫い合わせて筒状にしている。このベルト取付部分の筒状内布１２、１７には、筒状内布１２、１７を絞るベルト２１を取り付けている。ベルト２１の端は、矩形の輪２２の片側と共に筒状内布１２、１７の外周面に縫い付けて固定している。ベルト２１は、筒状内布１２、１７に巻き付け、輪２２に通して折り返している。このベルト２１は、固定端側部分の外周面に雄型留め具の面ファスナ２３を縫い付けて固定し、折り返し部分の内周面を雌型留め具の面ファスナ２４にしている。
【００１７】
手首部２の筒状内布１２、１７は、ベルト２１で絞ると、内径が縮小し、手首に貫通した手首部２が抜き取り不能になる。筒状内布１２、１７をベルト２１で絞り、雄型留め具の面ファスナ２３に雌型留め具の面ファスナ２４を押し付けて付着すると、筒状内布１２、１７が絞られた状態、手首部２が抜き取り不能になった抜け止め状態が保持される。
即ち、ベルト２１、輪２２と対の留め具２３、２４は、抑制手袋が外れるのを防く抜け止め構造を構成している。
【００１８】
覆い部３は、手の甲側の外布１１と掌側の外布１６で構成している。この覆い部３は、本体部１側部分を覆い部分にしている。覆い部３の覆い部分は、手の甲側の外布１１と掌側の外布１６を縫い合わせて筒状にしている。筒状外布１１、１６は、抜け止め用ベルト２１の外回りに嵌合し、抜け止め構造２１、２２、２３、２４の全体を覆っている。覆い部３の筒状外布１１、１６を本体部１側に捲り上げると、図７と図８に示すように、抜け止め構造２１〜２４が露出する。
【００１９】
覆い部３は、開口側部分を留め具取付部分にしている。覆い部３の留め具取付部分は、手の甲側の外布１１と掌側の外布１６を縫い合わせず、フラップ状にしている。また、手首部２は、開口側部分を留め具取付部分にしている。手首部２の留め具取付部分は、手の甲側の内布１２と掌側の内布１７を縫い合わせず、フラップ状にしている。手の甲側のフラップ状外布１１とフラップ状内布１２は、図９に示すように、同様に外側に折れ曲がって回転移動することができる。また、掌側のフラップ状外布１６とフラップ状内布１７は、図１０に示すように、同様に外側に折れ曲がって回転移動することができる。
【００２０】
手の甲側のフラップ状外布１１とフラップ状内布１２は、対の雄型留め具の面ファスナ３１と雌型留め具の面ファスナ３２を縫い付けて固定している。掌側のフラップ状外布１６とフラップ状内布１７は、対の雄型留め具の面ファスナ３３と雌型留め具の面ファスナ３４を縫い付けて固定している。
【００２１】
覆い部３の覆い部分で抜け止め構造２１〜２４を覆い、手の甲側の対の留め具の面ファスナ３１、３２を付着し、掌側の対の留め具の面ファスナ３３、３４を付着すると、覆い部３が手首部２に留められ、覆い部３が抜け止め構造２１〜２４を覆った状態が保持される。抜け止め構造２１〜２４が覆い隠される。
即ち、覆い部３、手の甲側の対の留め具３１、３２と掌側の対の留め具３３、３４は、患者による抜け止め解除を防く自己解除防止構造を構成している。
【００２２】
抑制手袋を患者に付けるときは、看護者や介護者は、自己解除防止構造の手の甲側の留め具３１、３２と掌側の留め具３３、３４をそれぞれ分離し、覆い部３を本体部１側に捲り上げ、図７と図８に示すように、抜け止め構造２１〜２４を露出する。この状態の抑制手袋に患者の手を入れる。そして、手を入れた状態で、手首部２を抜け止め構造のベルト２１で絞り、ベルト２１を留め具２３、２４で留め、抜け止めを施す。その後、覆い部３は、引き下ろして抜け止め構造２１〜２４を覆い、手の甲側の留め具３１、３２と掌側の留め具３３、３４をそれぞれ付着して、覆い部３を手首部２に留める。患者は、抜け止め構造２１〜２４を見ることができない。操作することができない。抑制手袋は、患者の両手にそれぞれ同様に付ける。
【００２３】
患者が抑制手袋を外そうとして、歯で覆い部３の手の甲側の留め具取付部分、フラップ状外布１１の端を咬み、手を歯と反対側に振って、手首に嵌合した手首部２を引っ張ると、図９に示すように、手の甲側の留め具３１付きフラップ状外布１１と留め具３２付きフラップ状内布１２は、一緒に同様に外側に折れ曲がって回転移動する。留め具３１、３２は、付着状態が維持され、分離しない。覆い部３が抜け止め構造２１〜２４を覆い隠した状態が維持される。抜け止め構造２１〜２４が操作可能にならない。抑制手袋が外れない。
【００２４】
また、患者が歯で覆い部３の掌側の留め具取付部分、フラップ状外布１６の端を咬み、手首に嵌合した手首部２を引っ張ると、図１０に示すように、掌側の留め具３３付きフラップ状外布１６と留め具３４付きフラップ状内布１７は、一緒に同様に外側に折れ曲がって回転移動する。留め具３３、３４は、付着状態が維持され、分離しない。覆い部３が抜け止め構造２１〜２４を覆い隠した状態が維持される。抜け止め構造２１〜２４が操作可能にならない。
【００２５】
［変形例］
１．上記の実施形態において、本体部１は、ミトン状にして指の仕切りがないが、指の仕切りを設ける。
２．上記の実施形態において、抜け止め構造は、手首部２を絞る構造をベルト２１の構造にしたが、紐やその他の構造にする。
３．上記の実施形態において、抜け止め構造は、留め具２３、２４を面ファスナにしたが、特定個所を押すと外れるプッシュホック、スライドファスナやその他にする。
４．上記の実施形態において、自己解除防止構造は、対の留め具３１、３２を面ファスナにしたが、特定個所を押すと外れるプッシュホックやその他にする。
【符号の説明】
【００２６】
１  本体部
２  手首部
３  覆い部
１１、１２  手の甲側の布材
１１  手の甲側の外布
１２  手の甲側の内布
１３  網
１６、１７  掌側の布材
１６  掌側の外布
１７  掌側の内布
１８  平面保持板
２１  ベルト
２２  輪
２３  雄型留め具、面ファスナ
２４  雌型留め具、面ファスナ
２３、２４  対の留め具
２１、２２、２３、２４  抜け止め構造
３１  雄型留め具、面ファスナ
３２  雌型留め具、面ファスナ
３１、３２  対の留め具
３３  雄型留め具、面ファスナ
３４  雌型留め具、面ファスナ
３３、３４  対の留め具
３、３１、３２、３３、３４  自己解除防止構造
【図１】
0003172724.tif 000003
【図２】
0003172724.tif 000004
【図３】
0003172724.tif 000005
【図４】
0003172724.tif 000006
【図５】
0003172724.tif 000007
【図６】
0003172724.tif 000008
【図７】
0003172724.tif 000009
【図８】
0003172724.tif 000010
【図９】
0003172724.tif 000011
【図１０】
0003172724.tif 000012